(57)【要約】【課題】爪及び指の全域が安定して装飾できる指飾りを得る。【解決手段】指（１６）の主体部に該主体部の軸線に対し傾斜して嵌合可能な環状かつ可撓性の飾り紐リング（３）を複数個設けるとともに、各飾り紐リング（３）を直列に連結し、先端側の飾り紐リング（３−１）に、付け爪（２）に係止する係止具（９）を設け、基部側の飾り紐リング（３−３）に、指（１６）の根元側に嵌合する保持リング（１０）を連結する。【選択図】図１
2006158748.tif 000002
【特許請求の範囲】
【請求項１】
指（１６）の主体部に該主体部の軸線に対し傾斜して嵌合可能な環状かつ可撓性の飾り紐リング（３）を複数個設けるとともに、各飾り紐リング（３）を直列に連結し、先端側の飾り紐リング（３−１）に、付け爪（２）に係止する係止具（９）を設け、基部側の飾り紐リング（３−３）に、指（１６）の根元側に嵌合する保持リング（１０）を連結したことを特徴とする指飾り。
【発明の詳細な説明】
【技術分野】
【０００１】
本発明は、指に取り付けて該指を装飾する指飾りに関するものである。
【背景技術】
【０００２】
従来の技術として特許文献１、特許文献２があった。即ち、指の爪に取り付けられる付け爪にチェーンを連結し、該チェーンの他端（下端）を指に嵌合されるリング（又は指輪）に連結してなるものがあった。
【０００３】
しかしながら、上記チェーンは専ら付け爪の脱落を防止するためのものであって、長さが短くかつ指に沿って直線状に延長してその両端が上記付け爪とリング（又は指輪）とに連結されているものであった。このため、上記チェーンは装飾機能が乏しくなるばかりでなく、付け爪の紛失を阻止するイメージが強くなって違和感を呈するものであった。
【０００４】
【特許文献１】特開平９−５６４４９号公報
【特許文献２】実用新案登録第３１００４６２号公報
【発明の開示】
【発明が解決しようとする課題】
【０００５】
本発明は、爪を含む指全域が装飾できるようにすることにより、装飾機能が高くなる新規な指飾りを得ることを目的とする。
【課題を解決するための手段】
【０００６】
本発明は、上記目的を達成するために以下の如く構成したものである。即ち、請求項１に係る発明は、指の主体部に該主体部の軸線に対し傾斜して嵌合可能な環状かつ可撓性の飾り紐リングを複数個設けるとともに、各飾り紐リングを直列に連結し、先端側の飾り紐リングに、付け爪に係止する係止具を設け、基部側の飾り紐リングに、指の根元側に嵌合する保持リングを連結する構成にしたものである。
【発明の効果】
【０００７】
請求項１に係る発明は、付け爪を該当する指の爪に取り付け、該指の主体部に各飾り紐リング及び保持リングを嵌合させ、先端側の飾り紐リングを、係止具を介して上記付け爪に係止し、保持リングを指の根元側に位置決めすると、各飾り紐リングが指主体部の軸線に対し交互に逆向きに傾斜して該指主体部を取り巻くことになる。これにより、該当する指の爪部が付け爪により、また、該指の主体部が飾り紐リングによって装飾されることになり、該当する指の略全域が装飾されて装飾機能が高くなる。
【発明を実施するための最良の形態】
【０００８】
以下本発明の実施例を図面に基いて説明する。図面において、図１は本発明による指飾りを指に取り付けた状態の斜視図、図２は本発明による指飾りの全体を示す斜視図、図３は飾り紐リングを付け爪に係止する他の例を示す斜視図である。
【０００９】
図１、図２において、１は指飾りであり、付け爪２、飾り紐リング３、および保持リング１０を主要部としてなる。該指飾り１は、所定の指、例えば、左手１５の薬指１６に装着される。上記付け爪２はプラスチック材により指の爪形状に擬似形成され、接着剤を介して上記薬指１６の爪に固着される。この付け爪２は、その表面（背面）に星印等の模様２ａをプリントするようにしてもよい。
【００１０】
上記飾り紐リング３は、環状に連結した第１飾り紐リング３−１，第２飾り紐リング３−２，第３飾り紐リング３−３をそれぞれ直列に連結してなる。即ち、第２図に示すように、装飾性及び可撓性を有するチェーン、紐等からなる短尺な一対の第１飾り紐４ａ，４ｂ、第２飾り紐５ａ，５ｂ、第３飾り紐６ａ，６ｂを上下に配列するとともに、第１飾り紐４ａ，４ｂの上端同士を第１連結リング７ａにより連結し、第１飾り紐４ａ，４ｂの下端同士、及び第２飾り紐５ａ，５ｂの上端同士を第２連結リング７ｂにより連結し、第２飾り紐５ａ，５ｂの下端同士、及び第３飾り紐６ａ，６ｂ上端同士を第３連結リング７ｃにより連結し、第３飾り紐６ａ，６ｂの下端同士を第４連結リング７ｄにより連結する。なお、上記第１連結リング７ａ〜第４リング７ｄは共に金属環からなる。
【００１１】
上記各第１飾り紐リング３−１〜第３飾り紐リング３−３の周長は、薬指１６の主体部の周長よりも長くし、これにより、図１に示すように、薬指１６に嵌合させた際に、該薬指１６の主体部の軸線に対し、例えば約４５度の角度で傾斜するようにする。
【００１２】
上記第１飾り紐リング３−１の上端部、つまり第１連結リング７ａにチェーン製の上部飾り紐８を連結し、該上部飾り紐８の上端にフック形の係止具９を連結する。該連結具９は、前述した付け爪２の上端部に引っ掛けて係止できるようになっている。なお、上記係止具９は、図３に示すように、線材をリング状あるいはＳ字状に湾曲させた係止具９−１とし、これを付け爪２の端部に形成した係止孔２ｂに係止するようにしてもよい。
【００１３】
上記第３飾り紐リング３−１の下端部、つまり第４連結リング７ｄに保持リング１０を連結する。該保持リング１０は、薬指１６の基部に着脱可能に嵌合するもので、図２に示すように周方向の約４分の１を除去した円弧状とし、該保持リング１０の開口側両端部に連結孔１０ａ，１０ｂを形成してなり、各連結孔１０ａ，１０ｂのいずれか一方、本例では左部の連結孔１０ａにリング状の補助リング１２を介して上記第４連結リング７ｄに連結する。１１は上記保持リング１０の背部に固着したハート形の飾り用の小物である。
【００１４】
上記実施例によれば、付け爪２を該当する指、例えば薬指１６の爪に取り付け、該薬指１６に各飾り紐リング３−１〜３−３、及び保持リング１０を嵌合させ、先端側の第１飾り紐リング３−１を、係止具９（９−１）を介して上記付け爪２に係止し、保持リング１０を薬指１６の根元側に位置させると、図１に示すように、各飾り紐リング３−１〜３−３が薬指１６の主体部の軸線に対し交互に逆向きに傾斜して該指主体部を取り巻くことになる。
【００１５】
これにより、上記薬指１６の爪部が付け爪２により、また、該薬指１６の主体部が各飾り紐リング３−１〜３−３によって装飾されることになり、上記薬指１６の略全域が装飾されることになる。また、各飾り紐リング３−１〜３−３はそれぞれ直列に連結されているので、不用意に回転することがなく、装飾機能が安定することになる。
【図面の簡単な説明】
【００１６】
【図１】本発明による指飾りを指に取り付けた状態の斜視図である。
【図２】本発明による指飾りの全体を示す斜視図である。
【図３】飾り紐リングを付け爪に係止する他の例を示す斜視図である。
【符号の説明】
【００１７】
１      指飾り
２      付け爪
２ａ    模様
２ｂ    係止孔
３      飾り紐リング
３−１    第１飾り紐リング
３−２    第２飾り紐リング
３−３    第３飾り紐リング
４ａ，４ｂ    第１飾り紐
５ａ，５ｂ    第２飾り紐
６ａ，６ｂ    第３飾り紐
７ａ    第１連結リング
７ｂ    第２連結リング
７ｃ    第３連結リング
７ｄ    第４連結リング
８      上部飾り紐
９（９−１）      係止具
１０      保持リング
１０ａ，１０ｂ  連結孔
１１    小物（装飾品）
１２    補助リング
１５    左手
１６    薬指（指）
【図１】
2006158748.tif 000003
【図２】
2006158748.tif 000004
【図３】
2006158748.tif 000005